(57)【要約】【課題】表示パネル体自体に手を掛けることなく、表示パネル体の傾斜角度を調節可能とする。【解決手段】所定の中心軸３７を中心に回動することにより装置本体の上面に対して起伏する表示パネル体３１と、中心軸３７から偏芯した位置に設けられた従動軸４６が係合される偏心カム溝４３を備えた回動部材４２とを備え、表示パネル体３１の側部に配置された回動部材４２の外周の回動ダイヤル４９にて回動操作することにより、装置本体の上面に対して表示パネル体３１を起伏回動角度を調節可能に構成した。【選択図】図７
2008233392.tif 000002
【特許請求の範囲】
【請求項１】
所定の中心軸を中心に回動することにより装置本体の上面に対して起伏する表示パネル体と、
前記中心軸から偏芯した位置に設けられた従動軸が係合される偏芯カム溝を備えた回動部材とを備え、
前記回動部材を前記表示パネル体の側部に配置された回動ダイヤルにて回動操作することにより、前記装置本体の上面に対して前記表示パネル体を起伏回動角度を調節可能に構成したことを特徴とする表示パネル体の角度調節装置。
【請求項２】
前記回動部材の回動角度を適宜間隔で保持するためのラッチ手段を備えたことを特徴とする請求項１に記載の表示パネル体の角度調節装置。
【請求項３】
前記回動部材を駆動モータにより作動させることを特徴とする請求項１または２に記載の表示パネル体の角度調節装置。
【請求項４】
前記表示パネル体の裏面には、前記表示パネル体に接続する信号用ハーネスを覆うカバー体が回動可能に設けられていることを特徴とする請求項１乃至３のいずれかに記載の表示パネル体の角度調節装置。
【請求項５】
画像記録装置の装置本体と、画像を形成するための記録部とを備え、前記装置本体には、請求項１乃至４のいずれかに記載の表示パネル体を挟んで左右両側部位またはそのいずれか一方の部位に複数の機能を指示可能な入力キーを配置したことを特徴とする画像記録装置。
【発明の詳細な説明】
【技術分野】
【０００１】
本発明は、画像や文字等のデータを表示できる液晶パネル等の表示パネル体の角度調節装置及びそれを備えた画像記録装置の構成に関するものである。
【背景技術】
【０００２】
従来から、テープ印字装置やインクジェット式のプリンタ、複写装置、ファクシミリ装置、ナビゲーション情報の表示のためのディスプレイパネル等の単機能装置、プリンタ機能、コピー機能、スキャナ機能、ファクシミリ機能を備えた多機能型の画像記録装置では、その製品の各種機能を達成するための指示や装置の現在の状況や操作手順等をユーザーに知らせるための液晶パネル表示部を備え、この液晶パネル表示部の設置角度を調節、且つその傾斜姿勢を保持する構成を備えたものが知られている（特許文献１及び２参照）。
【０００３】
特許文献１に記載のディスプレイパネルでは、ディスプレイパネルの基端部の回転軸と同軸で、ディスプレイパネルと共に回転するカムの外周に、適宜間隔で凹部が形成されており、ディスプレイパネルを水平状態で収容できる上向き開口を有するトレイの内側には、前記回転軸と平行に配置された水平軸を中心にして回度動可能なレバーを設ける。このレバーの先端にロック用のローラを設け、レバーは巻きばねによって付勢されて、ローラがカムの外周に接触するように構成する。これにより、カム外周の凹部の深さが深い場合、巻きばねの付勢力を増加させても、隣接する凹部に移動することが容易となり、且つディスプレイパネルの傾斜姿勢も保持できるというものである。
【０００４】
他方、特許文献２に記載の表示画面の前面にタッチパネルを備えた表示ユニットのチルト機構では、ベースユニットに、表示ユニットの下端部を水平軸にて回動可能に枢支し、ベースユニットに形成したラックに対して、表示ユニットの裏面から突出するストッパーが係脱可能に設けられている。このストッパーをラックに対して押圧させる捩じりバネ等の弾性体と、ストッパーをラックから係合解除するための押しボタンなどの解除部材が、ストッパーの側面などに設けられている構成が開示されている。
【特許文献１】実開平７−１６９７０号公報（図１、図４及び図５参照）
【特許文献２】特開平１０−６３１９２号公報（図１〜図５参照）
【発明の開示】
【発明が解決しようとする課題】
【０００５】
しかしながら、特許文献１及び２の構成では、いずれも、ディスプレイパネル（表示ユニット）を手で掴んで、回動させて傾斜角度を調整するものである。従って、ユーザーがディスプレイパネル（表示ユニット）に加える力が大きすぎたり、急激に回動させると、ディスプレイパネル（表示ユニット）に無理な力が作用し、破損するおそれがある。また、ディスプレイパネル（表示ユニット）を寝かせた状態から起立させるために、ディスプレイパネル（表示ユニット）自体に手を掛ける部分を設ける必要があり、そのため、装置が大型化するという問題があった。
【０００６】
本発明は、上記課題を解消するべくなされたものであって、表示パネル体自体に手を掛けることなく、表示パネル体の傾斜角度を調節可能とする構成を採用したものである。
【課題を解決するための手段】
【０００７】
前記目的を達成するために、請求項１に記載の発明は、所定の中心軸を中心に回動することにより装置本体の上面に対して起伏する表示パネル体と、前記中心軸から偏芯した位置に設けられた従動軸が係合される偏心カム溝を備えた回動部材とを備え、前記回動部材を前記表示パネル体の側部に配置された回動ダイヤルにて回動操作することにより、前記装置本体の上面に対して前記表示パネル体を起伏回動角度を調節可能に構成したものである。
【０００８】
また、請求項２に記載の発明は、請求項１に記載の表示パネル体の角度調節装置において、前記回動部材の回動角度を適宜間隔で保持するためのラッチ手段を備えたものである。
【０００９】
請求項３に記載の発明は、請求項１または２に記載の表示パネル体の角度調節装置において、前記回動部材を駆動モータにより作動させることを特徴とするものである。
【００１０】
請求項４に記載の発明は、請求項１乃至３のいずれかに記載の表示パネル体の角度調節装置において、前記表示パネル体の裏面には、前記表示パネル体に接続する信号用ハーネスを覆うカバー体が回動可能に設けられているものである。
【００１１】
請求項５に記載の発明の画像記録装置は、画像記録装置の装置本体と、画像を形成するための記録部とを備え、前記装置本体には、請求項１乃至４のいずれかに記載の表示パネル体を挟んで左右両側部位またはそのいずれか一方の部位に複数の機能を指示可能な入力キーを配置したことを特徴とするものである。
【発明の効果】
【００１２】
請求項１に記載の発明によれば、ユーザーは、表示パネル体を掴んで起伏動作させる必要がなく、回動ダイヤルにて回動部材させることにより偏心カム溝を介して、表示パネル体の起伏の傾斜姿勢を調節することができ、表示パネル体がタッチパネル式の場合であっても、不用意に表示パネル体が倒れることはない。
【００１３】
請求項２に記載の発明によれば、前記回動部材の回動角度を適宜間隔で保持するためのラッチ手段を備えたものであるから、表示パネル体を起伏させた適宜の傾斜角度を強固に保持することができ、表示パネル体がタッチパネル式の場合であっても、不用意に表示パネル体が倒れることを一層防止できるという効果を奏する。
【００１４】
請求項３に記載の発明によれば、電動モータの駆動により、回動部材を正逆回転することで、表示パネル体の起伏姿勢の調節が至極簡単に行えるという効果を奏する。
【００１５】
請求項４に記載の発明によれば、前記表示パネル体の裏面には、前記表示パネル体に接続する信号用ハーネスを覆うカバー体が回動可能に設けられているものであるから、このカバー体に前記回動部材を関連させることもできる。
【００１６】
請求項５に記載の発明によれば、表示パネル体を画像記録装置の正面等に任意の上下角度に立て起こすことができる。よって、表示パネル体の表示面をユーザーにとって画像のコントラストが鮮明になるように調節できるから、表示された画像データやメッセージ等が見え易くなるという効果を奏する。また、装置本体の機能をキー入力しながら、メンテナンスや部品交換等の作業を行う場合にも、表示パネル体にその操作指示のメッセージ等が作業者に見え易くなるという効果を奏する。
【発明を実施するための最良の形態】
【００１７】
以下、本発明の具体的な実施形態について、図面に基づいて説明する。図１は本発明が適用された第１実施形態の画像記録装置の斜視図、図２は画像記録装置の断面図、図３（ａ）は表示パネル体を寝かせた状態の表面側斜視図、図３（ｂ）は同じく裏面側斜視図、図３（ｃ）は表示パネル体を起立させた状態の表面側斜視図、図３（ｄ）は同じく裏面側斜視図、図４（ａ）は起立させた状態の表示パネル体の裏面図、図４（ｂ）は図４（ａ）のIVb −IVb 線矢視断面図、図５（ａ）は図３（ａ）のVa−Va線矢視断面図、図５（ｂ）は図３（ａ）のVb−Vb線矢視断面図、図５（ｃ）は図３（ａ）のVc−Vc線矢視断面図、図６（ａ）は寝かせた状態の表示パネル体及び回動ダイヤルを示す表面側斜視図、図６（ｂ）は同じく裏面側斜視図、図７（ａ）は図３（ａ）のVIIa−VIIa線矢視断面図、図７（ｂ）は図３（ａ）のVIIb−VIIb線矢視断面図、図７（ｃ）は図３（ａ）のVIIc−VIIc線矢視断面図、図８（ａ）は起立させた状態の表示パネル体及び回動ダイヤルを示す表面側斜視図、図８（ｂ）は同じく裏面側斜視図である。
【００１８】
本発明を実施するための最良の形態について以下に説明する。本実施形態の画像記録装置１は、プリンタ機能、コピー機能、スキャナ機能、ファクシミリ機能を備えた多機能装置（ＭＦＤ：Multi Function Device ）である。図１に示す第１実施形態では、画像記録装置１における合成樹脂製の射出成形品からなるハウジングとしての下側本体２を備えている。
【００１９】
下側本体２の上面には、合成樹脂製の射出成形品からなる上側本体３が、枢軸部（図示せず）を介して下側本体２の一側端に対して上下開閉回動可能に装着されている。即ち、下側本体２の正面側（図１において左前側）に開口部２ａが形成されているとき、下側本体２に対する上側本体３の回動軸線としての枢軸部は開口部２ａから最も遠い下側本体２の奥側に位置している。下側本体２の上面のうち前寄り部位には、操作パネル部４が配置されている。
【００２０】
上側本体３内には、コピー機能やファクシミリ機能における画像読取装置５が組み込まれている。この画像読取装置５は、原稿カバー体７を上側に開けて原稿を載置することができる原稿載置用のガラス板６と、ガラス板６の下側に原稿読取り用の密着型イメージセンサ（ＣＩＳ：Contact Image Sensor）８とからなる。密着型イメージセンサ８は図２の紙面と直交する方向に延びるガイド軸９に沿って往復移動可能に設けられている。画像読取装置５の上面を覆う原稿カバー体７の後端は上側本体３の後端に対して蝶番１０を中心に上下回動可能に装着されている。
【００２１】
他方、下側本体２の一側（開口部２ａを有する前側面）には、インク貯蔵部のための蓋体２ｂが前向き開閉可能に設けられ、インク貯蔵部には、図示しないが個別の色毎のカートリッジとして、この実施形態では、ブラック（Ｂｋ）、シアン（Ｃ）、マゼンタ（Ｍ）、イエロー（Ｙ）の各色用のインクカートリッジが収納されており、各インクカートリッジと、記録部１２におけるインクジェット式の記録ヘッド１４とを、可撓性を有するインク供給管で常時連結している。
【００２２】
他方、下側本体２の底部には、図１及び図２に示すように、用紙を堆積収容する給紙カセット１５が進退動可能に配置されており、この給紙カセット１５は下側本体２の前側の開口部２ａから差し込まれている。本実施形態では、給紙カセット１５は、被記録媒体（用紙）としての、例えば、Ａ４サイズ、レターサイズ、リーガルサイズ、はがきサイズ等にカットされた用紙を複数枚積層（堆積）されて収納できる形態とする。
【００２３】
給紙カセット１５の奥側には、用紙分離用に傾斜分離板１６が配置されている。この傾斜分離板１６の用紙の幅方向の中央部には、用紙の先端縁に当接して分離を促進するための鋸歯状の弾性分離パッド（図示せず）が設けられている。
【００２４】
また、下側本体２側には、給紙手段１７における給紙アーム１７ａの基端部が上下方向に回動可能に装着され、この給紙アーム１７ａの先端部に設けられた給紙ローラ１７ｂには、給紙アーム１７ａ内に設けられた歯車伝達機構により、駆動源からの回転が伝えられる。そして、この給紙ローラ１７ｂと傾斜分離板１６の弾性分離パッドとにより、給紙カセット１５に堆積された用紙を一枚ずつ分離搬送される。分離された用紙は、横向きの略Ｕ字形状のパスを含む搬送経路１８を介して、給紙カセット１５より上側（高い位置）に設けられた記録部１２に給送される。
【００２５】
記録部１２は、図２に示されるように、箱型のメインフレーム２１とその左右一対の側板にて支持され、Ｙ軸方向（主走査方向）に延びる横長の板状の第１および第２ガイド部材２２，２３との間に形成される。記録部１２におけるインクジェット式の記録ヘッドが下面に搭載されたキャリッジ１３は、排紙方向の上流側の第１ガイド部材２２及び下流側の第２ガイド部材２３に跨って摺動自在に支持されているため、Ｙ軸方向に往復移動可能になっている。
【００２６】
キャリッジ１３を往復移動させるために、排紙方向（矢印Ｂ方向）の下流側に配置された第２ガイド部材２３の上面には、主走査方向（Ｙ軸方向）に延びるようにタイミングベルト（図示せず）が配置され、このタイミングベルトを駆動するＣＲ（キャリッジ）モータ（図示せず）は第２ガイド部材２３の下面に固定されている。
【００２７】
キャリッジ１３における記録ヘッド４の下面と対峙するようにＹ軸方向に延びる扁平状のプラテン２６は、前記両ガイド部材２２，２３の間にて、メインフレーム２１に固定されている。
【００２８】
プラテン２６の排紙方向上流側には、図２に示すように、用紙を記録ヘッド４の下面に搬送するための搬送（レジスト）ローラとして、駆動ローラ２７と、この駆動ローラ２７に対向する下方にニップローラとが配置されている。また、プラテン２６の排紙方向下流側には、記録部１２を経た用紙を排紙方向に沿って搬送するように駆動される排紙ローラ２８と、これに対向して排紙ローラ２８側に付勢された拍車ローラとが配置されている。
【００２９】
記録部１２にて記録された用紙Ｐがその記録面を上向きにして排出される排紙トレイ３０は、給紙カセット１５の上部に設けられ、排紙トレイ３０に連通する排紙口が下側本体２の前面の開口部２ａと共通にして開口されている。
【００３０】
次に、操作パネル部４の構成、特に表示パネル体３１の起伏構造について、図１、図３〜図８に基づいて説明する。操作パネル部４の合成樹脂製の表面板３２のうち、図１において、表示パネル体３１の左側部位には、テンキー部３３が配置されている。表示パネル体３１の右側部位には、電気製品である画像記録装置１の備える複数の機能を指示可能な入力キーのうち、機能の異なる入力キー部３４が配置されている。入力キー部３４では、例えば、スタートストップ入力キー、カラーコピースタート入力キー、モノクロコピースタート入力キーが縦列に並べられている。その左隣には、予め登録されているファクシミリ番号の検索と、受話器の音の大小調節等のための十字ドグル型入力キーが配置されている。
【００３１】
表示パネル体３１における枠体３５の表面側の液晶パネル表示部３６はカラー画像を表示できる程度の大きい表示面積（実施形態では４２ｍｍ×５４ｍｍ程度）を有するものである。表示パネル体３１の枠体３５の左右両側面の下端側には、回動中心となる中心軸３７が突設され、両中心軸３７は操作パネル部４の表面板３２の左右中央部に凹み形成された収納部３８の左右両側部位の軸受部（図示せず）に回動自在に枢支されている。
【００３２】
表示パネル体３１はその液晶パネル表示部３４が表面板３２の上面と実質上同一面の姿勢（図１参照）から、表面板３２の正面方向に対して斜め上向きの適宜角度（実施形態では水平面に対して略６０度程度）の姿勢（図３（ｃ）、図４（ｃ）及び図７（ｃ）参照）まで適宜の角度間隔ごとの姿勢調節可能に構成されている。
【００３３】
そのための傾斜姿勢調節機構４０の一例としては、表面板３２の裏面の軸受部４４に回動可能に両端部が枢支された支軸４１と、該支軸４１と一体的に回動可能に固定された左右一対の回動部材４２と、各回動部材４２の片面に形成された偏芯カム溝４３と、枠体３５の裏面から突出するブラケット４５に突設され、偏芯カム溝４３に摺動可能に嵌まる従動軸４６と、回動部材４２の片面に設けられるラッチ手段４７と、一方の回動部材４２の外周面に形成された回動ダイヤル４９とを備えている。
【００３４】
実施形態では、図５及び図６等に示されるように、右側の回動部材４２と偏芯カム溝４３とラッチ手段４７における複数の星型凹凸状の係止部５０及び回動ダイヤル４９とが、合成樹脂材にて一体的に射出形成されている。左側の回動部材４２には回動ダイヤル４９を有していない点だけが異なり、左右対称形状である。
【００３５】
偏芯カム溝４３は回動部材４２の回動中心に近い半径の小さい部位から矢印Ａ方向に回動するに従って、次第に半径が大きくなるように略渦巻き状に形成されている。その場合、偏芯カム溝４３の内径部には、中心角度で略４５度間隔で、５つの凸部５１ａ、５１ｂ、５１ｃ、５１ｄ、５１ｅが形成され、回動部材４２を矢印Ａ方向に回動するとき、凸部５１ａを越えた部分で半径がＲ１で一定する微小安定区間、凸部５１ｂを越えた部分で半径がＲ２（＞Ｒ１）で一定する微小安定区間、同様に凸部５１ｃを越えて半径がＲ３（＞Ｒ２）で一定する微小安定区間、凸部５１ｄを越えて半径がＲ４（＞Ｒ３）で一定する微小安定区間、凸部５１ｅを越えて半径が最も大きいＲ５（＞Ｒ４）で一定する微小安定区間（図７（ｂ）で従動軸４６が位置している個所参照）の他、凸部５１ａの手前側で半径が最も小さいＲ０となる微小安定区間（図５（ｂ）で従動軸４６が位置している個所参照）を有し、それぞれの微小安定区間（６箇所）に従動軸４６が位置するときには、回動部材４２が矢印Ａ方向及び反矢印Ａ方向に回動し難くなっている。そして、回動部材４２の外周端面には、前記各微小安定区間（半径が最も大きいＲ５に対応する個所を除く）に対応した５つのダイヤル凹部５２ａ、５２ｂ、５２ｃ、５２ｄ、５２ｅが形成されている。半径が最も大きいＲ５の微小安定区間に対応して凸円弧状５２ｆの部分がある。これらのダイヤル凹部５２ａ、５２ｂ、５２ｃ、５２ｄ、５２ｅ及び凸円弧状５２ｆを有する回動ダイヤル４９の外周面の一部は、枠体３５の側方の表面板３２に穿設された操作孔５４から外に露出している。従って、ユーザーの指でダイヤル４９の外周面を回すことで、枠体３５に触れることなく、表示パネル体３１を起立させたり、寝かせるように姿勢変更することができる。実施形態では上述のとおり、表示パネル体３１は寝かせた姿勢から、最大起立姿勢までの６段階の姿勢を選択することができる。そして、偏芯カム溝４３には上述のように適宜間隔で従動軸４６に対する抵抗部としての凸部５１ａ、５１ｂ、５１ｃ、５１ｄ、５１ｅ有するので、回動部材４２をユーザーが回動させるときに、この各凸部を乗り越えるときの抵抗力が大きいため、タッチパネル式の液晶パネル表示部３６をユーザーが指でタッチした程度の力が作用しても、表示パネル体３１は不用意に倒れ回動しないのである。
【００３６】
さらに、回動部材４２の他側面には、星型凹凸状の係止部５０が、前記６つの微小安定区間に対応して形成されており、ラッチ手段４７の構成部品である板バネ５３の三角爪部５３ａが係止部５０に嵌まると、その位置で回動部材４２（回動ダイヤル４９）の回動停止させて位置保持できる。また、回動部材４２（回動ダイヤル４９）が回動されるとき、板バネ５３の付勢力に抗して三角爪部５３ａが係止部５０を乗り越えるときの回動抵抗力により、ユーザーにクリック感を与えることができる。
【００３７】
そして、上記のラッチ手段４７が、枠体３５の回動中心軸３７から偏心した位置に配置されていることにより、タッチパネル式の液晶パネル表示部３６をユーザーが指でタッチした程度の力が作用しても、表示パネル体３１は不用意に倒れ回動しないのである。
【００３８】
なお、枠体３５の裏面側から突出するハーネス５５は、下側本体２からの信号を液晶パネル表示部３６に伝送するために、収納部３８に配置され、このハーネス５５の上側を覆うカバー体５６が軸５６ａを介して枠体３５の裏面に対して回動可能に装着されている。従って、表示パネル体３１を起立させても、ハーネス５５はカバー体５６で常時隠されていることになり、ユーザーが指で触れる等の不具合を防止できる。
【００３９】
上記実施形態では、回動部材４２と回動ダイヤル４９とを一体的に形成したが、両者を別体とし、ただ１つの回動部材４２を枠体３５の裏面側に配置し、回動ダイヤル４９のみを枠体３５の一側方に配置しても良い。また、回動部材４２と回動ダイヤル４９とは同軸状に配置しなくても良い。
【００４０】
他の実施形態として、カバー体５６の基端と枠体３５とを移動可能な長孔を介してピン連結し、カバー体５６の他端を収納部３８内で回動可能に枢支されるように構成する。このカバー体５６の長手中途部に従動軸４６を突設し、この従動軸４６を回動部材４２における偏心カム溝４３に摺動自在に嵌める構成としても良い。また、ラッチ手段は、板バネと星型凹凸状の係止部５０以外の形態であっても良い。
【００４１】
さらに他の実施形態として、回動部材を図示しない電動モータにより正回転、逆回転可能に構成すれば、ユーザーは図示しないスイッチの操作のみで、表示パネル体の起伏姿勢を調節することができる。
【００４２】
本発明は、多機能型の画像記録装置１ばかりでなく、単機能型の画像記録装置についても適用できることはいうまでもなく、また、カーナビゲーションのための表示パネル体にも適用できる。その場合にも上記と同様の作用・効果を奏することができるものである。
【図面の簡単な説明】
【００４３】
【図１】本発明が適用された画像記録装置の斜視図である。
【図２】図２は画像記録装置の断面図である。
【図３】（ａ）は表示パネル体を寝かせた状態の表面側斜視図、（ｂ）は同じく裏面側斜視図、（ｃ）は表示パネル体を起立させた状態の表面側斜視図、（ｄ）は同じく裏面側斜視図である。
【図４】（ａ）は起立させた状態の表示パネル体の裏面図、（ｂ）はIVb −IVb 線矢視断面図である。
【図５】（ａ）は図３（ａ）のVa−Va線矢視断面図、（ｂ）は図３（ａ）のVb−Vb線矢視断面図、（ｃ）は図３（ａ）のVc−Vc線矢視断面図である。
【図６】（ａ）は寝かせた状態の表示パネル体及び回動ダイヤルを示す表面側斜視図、（ｂ）は同じく裏面側斜視図である。
【図７】（ａ）は図３（ａ）のVIIa−VIIa線矢視断面図、（ｂ）は図３（ａ）のVIIb−VIIb線矢視断面図、（ｃ）は図３（ａ）のVIIc−VIIc線矢視断面図である。
【図８】（ａ）は起立させた状態の表示パネル体及び回動ダイヤルを示す表面側斜視図、（ｂ）は同じく裏面側斜視図である。
【符号の説明】
【００４４】
１      画像記録装置
２      下側本体
３      上側本体
４      操作パネル部
３１    表示パネル体
３２    表面板
３５    枠体
３６    液晶パネル表示部
３７    中心軸
３８    収納部
４０    傾斜姿勢調節機構
４１    支軸
４２    回動部材
４３    偏心カム溝
４６    従動軸
４７    ラッチ手段
４９    回動ダイヤル
５０    係止部
５１ａ〜５１ｄ      凸部
【図１】
2008233392.tif 000003
【図２】
2008233392.tif 000004
【図３】
2008233392.tif 000005
【図４】
2008233392.tif 000006
【図５】
2008233392.tif 000007
【図６】
2008233392.tif 000008
【図７】
2008233392.tif 000009
【図８】
2008233392.tif 000010